(57)【要約】      （修正有）【課題】ボリュームのあるポニーテール髪を簡単に作ることができると共に、頭髪に隠れて外部にほとんど見えなくなる整髪補助具を提供する。【解決手段】整髪補助具１は、髪束を第１方向に沿って挿通させる挿通孔１２が形成されたリング部１０と、第１方向に垂直な第２方向に凸状に形成された半球体２０と、半球体の外周面から半径方向外側に向かって突出する複数の突起３１１〜３１６，３２１〜３２６，３３１〜３３４，３４１〜３４４，３５１とを備えている。半球体は、リング部の外周部に接続されている。挿通孔に挿通される髪束の毛先側の突起の突出高さは、根元側の突起の突出高さよりも低くなっている。また、髪束の根元側に向かって半球体の外周面から延びるノーズ部５０を備える。【選択図】図１
0003192375.tif 000002
【実用新案登録請求の範囲】
【請求項１】
ポニーテール髪を作る際に使用される整髪補助具であって、
髪束を第１の方向に沿って挿通させる挿通孔が形成されたリング部と、
前記第１の方向に垂直な第２の方向に凸状に形成された半球体であって、前記リング部の外周部に接続された半球体と、
前記半球体の外周面から半径方向外側に向かって突出する複数の突起と、
を備えることを特徴とする整髪補助具。
【請求項２】
前記複数の突起が前記半球体の外周面から突出する突出高さが、少なくとも一部の突起間において異なっていることを特徴とする請求項１に記載の整髪補助具。
【請求項３】
前記複数の突起は、前記第２の方向に垂直な第１の平面における前記半球体の外周面上の複数の点から突出する第１の突起群を含むことを特徴とする請求項１又は２に記載の整髪補助具。
【請求項４】
前記第１の突起群において、前記挿通孔に挿通される髪束の毛先側に位置する突起は、前記挿通孔に挿通される髪束の根元側に位置する突起よりも突出高さが低いことを特徴とする請求項３に記載の整髪補助具。
【請求項５】
前記複数の突起は、前記第２の方向に垂直な第２の平面における前記半球体の外周面上の複数の点から突出する第２の突起群を含み、
前記第２の平面は、前記第１の平面よりも前記挿通孔の軸から遠い位置にあることを特徴とする請求項３又は４に記載の整髪補助具。
【請求項６】
前記第２の突起群における突起の突出高さは同一であることを特徴とする請求項５に記載の整髪補助具。
【請求項７】
前記挿通孔に挿通される髪束の根元側に向かって前記半球体の外周面から延びるノーズ部をさらに備えたことを特徴とする請求項１から６のいずれか一項に記載の整髪補助具。
【請求項８】
前記リング部の挿通孔の入口部分がテーパ形状になっていることを特徴とする請求項１から７のいずれか一項に記載の整髪補助具。
【考案の詳細な説明】
【技術分野】
【０００１】
本考案は、整髪補助具に係り、特にポニーテール髪を作る際に使用される整髪補助具に関するものである。
【背景技術】
【０００２】
後頭部の髪を１つにまとめて垂らすポニーテール髪は従来から人気がある。特に、最近ではポニーテール髪のボリューム感を出すことが人気となっている。このようなボリューム感のあるポニーテール髪を作るための整髪補助具として特許文献１に記載されたものが知られている。しかしながら、この特許文献１に記載された整髪補助具では、ポニーテール髪を作った際に、整髪補助具の構造上、その上端部が頭髪の間から見えてしまう。このため、使用者からは、ボリュームのあるポニーテール髪を簡単に作ることができ、外部からほとんど見えなくなるような整髪補助具が望まれている。
【先行技術文献】
【特許文献】
【０００３】
【特許文献１】特開２０１２−１４７９７２号公報
【考案の概要】
【考案が解決しようとする課題】
【０００４】
本考案は、このような従来技術の問題点に鑑みてなされたもので、ボリュームのあるポニーテール髪を簡単に作ることができ、ポニーテール髪を作った際に頭髪に隠れて外部にほとんど見えなくなる整髪補助具を提供することを目的とする。
【課題を解決するための手段】
【０００５】
本考案の一態様によれば、ボリュームのあるポニーテール髪を簡単に作ることができ、ポニーテール髪を作った際に頭髪に隠れて外部にほとんど見えなくなる整髪補助具が提供される。この整髪補助具は、髪束を第１の方向に沿って挿通させる挿通孔が形成されたリング部と、上記第１の方向に垂直な第２の方向に凸状に形成された半球体と、上記半球体の外周面から半径方向外側に向かって突出する複数の突起とを備えている。上記半球体は、上記リング部の外周部に接続されている。
【０００６】
このような整髪補助具によれば、例えばまとめたポニーテール髪の集束部分から毛先側の髪を上側、中間、下側の３つに分け、中間の髪束を整髪補助具の挿通孔に挿通させ、整髪補助具を集束部分の近傍まで移動させた後、上側の髪束を整髪補助具の半球体に覆い被せることにより、上側の髪束が半球体の外周面上に形成された突起によって持ち上げられるため、ポニーテール髪のボリューム感を増すことができる。このように、本発明に係る整髪補助具によれば、ボリュームのあるポニーテール髪を簡単に作ることができる。このとき、覆い被せた髪束によって整髪補助具の突起が隠れるので、整髪補助具が外部からほとんど見えることがない。
【０００７】
上記複数の突起が上記半球体の外周面から突出する突出高さが、少なくとも一部の突起間において異なっていることが好ましい。
【０００８】
また、上記複数の突起は、上記第２の方向に垂直な第１の平面における上記半球体の外周面上の複数の点から突出する第１の突起群を含んでいてもよい。この場合において、上記第１の突起群では、上記挿通孔に挿通される髪束の毛先側に位置する突起が、上記挿通孔に挿通される髪束の根元側に位置する突起よりも突出高さが低いことが好ましい。
【０００９】
さらに、上記複数の突起は、上記第２の方向に垂直な第２の平面における上記半球体の外周面上の複数の点から突出する第２の突起群を含んでいてもよい。この場合において、上記第２の平面は、上記第１の平面よりも上記挿通孔の軸から遠い位置にある。ここで、上記第２の突起群における突起の突出高さは同一であることが好ましい。
【００１０】
また、上記整髪補助具は、上記挿通孔に挿通される髪束の根元側に向かって上記半球体の外周面から延びるノーズ部をさらに備えることが好ましい。さらに、上記リング部の挿通孔の入口部分がテーパ形状になっていることが好ましい。
【考案の効果】
【００１１】
本考案によれば、例えばまとめたポニーテール髪の集束部分から毛先側の髪を上側、中間、下側の３つに分け、中間の髪束を整髪補助具の挿通孔に挿通させ、整髪補助具を集束部分の近傍まで移動させた後、上側の髪束を整髪補助具の半球体に覆い被せることにより、上側の髪束が半球体の外周面上に形成された突起によって持ち上げられるため、ポニーテール髪のボリューム感を増すことができる。このように、本考案に係る整髪補助具によれば、ボリュームのあるポニーテール髪を簡単に作ることができる。このとき、覆い被せた髪束によって整髪補助具の突起が隠れるので、整髪補助具が外部からほとんど見えることがない。
【図面の簡単な説明】
【００１２】
【図１】本考案の一実施形態における整髪補助具を示す斜視図である。
【図２】図１の整髪補助具の正面図である。
【図３】図１の整髪補助具の右側面図である。
【図４】図１の整髪補助具の背面図である。
【図５】図１の整髪補助具の上面図である。
【図６】図１の整髪補助具の底面図である。
【図７Ａ】図１に示される整髪補助具の使用方法を説明する模式図である。
【図７Ｂ】図１に示される整髪補助具の使用方法を説明する模式図である。
【図７Ｃ】図１に示される整髪補助具の使用方法を説明する模式図である。
【考案を実施するための形態】
【００１３】
以下、本考案に係る整髪補助具の実施形態について図１から図７Ｃを参照して詳細に説明する。なお、図１から図７Ｃにおいて、同一又は相当する構成要素には、同一の符号を付して重複した説明を省略する。
【００１４】
図１は本考案の一実施形態における整髪補助具１を示す斜視図、図２は正面図、図３は右側面図、図４は背面図、図５は上面図、図６は底面図である。図１から図６に示すように、整髪補助具１は、軸方向（Ｙ方向）に沿って挿通孔１２が形成されたリング部１０と、リング部１０から軸方向に垂直な方向（図２〜図４においてＺ方向上方）に凸状に形成された半球体２０と、半球体２０の半径方向外側に向かって半球体２０の外周面から放射状に突出する複数の突起３１１〜３１６，３２１〜３２６，３３１〜３３４，３４１〜３４４，３５１とを備えている。半球体２０は、リング部１０の外周部（Ｚ方向端部）に接続されている。
【００１５】
リング部１０の挿通孔１２には、後述するように、まとめたポニーテール髪の集束部分から毛先側の髪の一部が挿通される。リング部１０の挿通孔１２の入口部分１４がテーパ形状になっており、この入口部分１４のテーパ形状により髪束を挿通孔１２に挿通しやすくなっている。なお、本実施形態では、図３に示すリング部１０の表面１６側から背面１８側に向けて挿通孔１２に髪が挿通される。
【００１６】
本実施形態においては、図３及び図５に示すように、複数の突起は、Ｚ方向に垂直な平面４１における半球体２０の外周面上の複数の点から突出する６個の突起（突起群）３１１，３１２，３１３，３１４，３１５，３１６と、Ｚ方向に垂直な平面４２における半球体２０の外周面上の複数の点から突出する６個の突起（突起群）３２１，３２２，３２３，３２４，３２５，３２６と、Ｚ方向に垂直な平面４３における半球体２０の外周面上の複数の点から突出する４個の突起（突起群）３３１，３３２，３３３，３３４と、Ｚ方向に垂直な平面４４における半球体２０の外周面上の複数の点から突出する４個の突起（突起群）３４１，３４２，３４３，３４４と、Ｚ方向に垂直な平面４５における半球体２０の外周面上の点から突出する１個の突起３５１とから構成される。平面４２は平面４１よりも挿通孔１２の軸から遠い位置にあり、平面４３は平面４２よりも挿通孔１２の軸から遠い位置にあり、平面４４は平面４３よりも挿通孔１２の軸から遠い位置にあり、平面４５は平面４４よりも挿通孔１２の軸から遠い位置にある。
【００１７】
ここで、平面４１に関しては、突起３１４〜３１６が半球体２０の外周面から突出する高さ（突出高さ）は、突起３１１〜３１３の突出高さよりも低くなっている。また、平面４２に関しては、突起３２５，３２６の突出高さは、突起３２１〜３２４の突出高さよりも低くなっている。すなわち、挿通孔１２に挿通される髪束の毛先側に位置する突起３１４〜３１６，３２５，３２６の突出高さが髪束の根元側に位置する突起３１１〜３１３，３２１〜３２４よりも低くなっている。このように、髪束の根元側の突起よりも外部に見えやすい毛先側の突起を相対的に低くすることにより、これらの突起３１４〜３１６，３２５，３２６を外部から見えにくくすることができる。
【００１８】
一方、平面４３に関しては突起３３１〜３３４の突出高さが同一となっており、平面４４に関しては突起３４１〜３４４の突出高さが同一となっている。このような突起３１１〜３１６，３２１〜３２６，３３１〜３３４，３４１〜３４４，３５１の構成により、後述するように、ポニーテール髪のボリューム感を出すことができるとともに、突起３１１〜３１６，３２１〜３２６，３３１〜３３４，３４１〜３４４，３５１が髪の間からほとんど見えなくなる。
【００１９】
図１から図６に示すように、整髪補助具１は、リング部１０の表面１６側の半球体２０の外周面から挿通孔１２に挿通される髪束の根元側に向かって嘴状のノーズ部５０が突出している。図１から図６に示すように、上述した突起３１１〜３１６，３２１〜３２６，３３１〜３３４，３４１〜３４４，３５１は、リング部１０に関して対称に形成されているわけではなく、非対称となっている。したがって、髪束をリング部１０の挿通孔１２に正しい方向に挿通させなければ、この整髪補助具１の本来の機能を発揮しない。上述したように、ノーズ部５０をリング部１０の表面１６側に形成することにより、使用者は、ノーズ部５０が存在する側からリング部１０の挿通孔１２に髪束を挿通させればよいことを認識できるため、使用者が間違った方向から髪束を挿通してしまうことを防止することができる。
【００２０】
次に、上述した構成の整髪補助具１の使用方法について説明する。まず、使用者は、例えば後頭部の頭髪を集束部分１１０でまとめてゴムなどで留めてポニーテール髪を作る（図７Ａ参照）。このまとめたポニーテール髪の集束部分１１０から毛先側の髪を上側１２０、中間１２２、下側１２４の３つに分け、中間の髪束１２２を上述した整髪補助具１の挿通孔１２に挿通させる。このとき、上述したように、ノーズ部５０が形成されている側から髪束１２２を挿通孔１２に挿通させ、整髪補助具１を集束部分１１０の近傍まで移動させる（図７Ｂ参照）。
【００２１】
そして、集束部分１１０で分けた上側の髪束１２０を整髪補助具１の半球体２０に覆い被せる。このとき、上側の髪束１２０が整髪補助具１の半球体２０の外周面上に形成された突起３１１〜３１６，３２１〜３２６，３３１〜３３４，３４１〜３４４，３５１によって持ち上げられるため、ポニーテール髪のボリューム感が増す（図７Ｃ参照）。また、上述したノーズ部５０が嘴状になっているため、ノーズ部５０を集束部分１１０に突き刺すようにして整髪補助具１を集束部分１１０に最大限近づけることができ、ポニーテール髪の根元から上側の髪束１２０を持ち上げることができるため、さらにボリューム感が増す。
【００２２】
なお、上述した実施形態では、まとめたポニーテール髪の集束部分１１０から毛先側の髪を３つに分けて、そのうちの中間の髪束を整髪補助具１の挿通孔１２に挿通させる例について説明したが、まとめたポニーテール髪の集束部分１１０から毛先側の髪を２つに分けて、下側の髪束を整髪補助具１の挿通孔１２に挿通させてもよい。
【００２３】
これまで本考案の好ましい実施形態について説明したが、本考案は上述の実施形態に限定されず、その技術的思想の範囲内において種々異なる形態にて実施されてよいことは言うまでもない。
【符号の説明】
【００２４】
１    整髪補助具
１０    リング部
１２    挿通孔
１４    入口部分
１６    表面
１８    背面
２０    半球体
４１〜４５    平面
５０    ノーズ部
１１０    集束部分
１２０    上側の髪束
１２２    中間の髪束
１２４    下側の髪束
３１１〜３１６    突起
３２１〜３２６    突起
３３１〜３３４    突起
３４１〜３４４    突起
３５１    突起
【図１】
0003192375.tif 000003
【図２】
0003192375.tif 000004
【図３】
0003192375.tif 000005
【図４】
0003192375.tif 000006
【図５】
0003192375.tif 000007
【図６】
0003192375.tif 000008
【図７Ａ】
0003192375.tif 000009
【図７Ｂ】
0003192375.tif 000010
【図７Ｃ】
0003192375.tif 000011